(57)【要約】  【課題】  プラスチックフィルム製袋の開口部に設けたジッパーに対する閉止力、懸止力が劣化することはなく、かつ、滑りの良好な閉止専用スライダ及び該スライダを備えたプラスチックフィルム製袋を得る。  【解決手段】  少なくとも１辺が開口部とされ、該開口部に位置する一対のフラップ部の対向する内面に、互いに嵌合／解除可能な凸部と凹部とからなるジッパーを設けたプラスチックフィルム製袋の閉止専用スライダ。このスライダは、プラスチック材料から成形されており、少なくとも、フラップ部の外側に位置する一対の側脚片３１，３１と、フラップ部の内側に位置してジッパーには届かない長さの中脚片３５と、一対の側脚片３１，３１の内側に対向するようにジッパーとは直交する方向に延在して形成された一対の突部３２，３２とを備え、一対の突部３２，３２は、それぞれ、ほぼ半円柱状をなし、半径がジッパーの凹部の幅寸法よりも小さく設定されている。  【選択図】  図１
2005204793.tif 000002
【特許請求の範囲】
【請求項１】
少なくとも１辺が開口部とされ、該開口部に位置する一対のフラップ部の対向する内面に、互いに嵌合／解除可能な凸部と凹部とからなるジッパーを設けたプラスチックフィルム製袋の閉止専用スライダであって、
前記スライダは、プラスチック材料から成形されており、少なくとも、前記フラップ部の外側に位置する一対の側脚片と、フラップ部の内側に位置して前記ジッパーには届かない長さの中脚片と、前記一対の側脚片の内側に対向するようにジッパーとは直交する方向に延在して形成された一対の突部とを備え、
前記一対の突部は、それぞれ、ほぼ半円柱状をなし、半径が前記ジッパーの凹部の幅寸法よりも小さいこと、
を特徴とする閉止専用スライダ。
【請求項２】
少なくとも１辺が開口部とされ、該開口部に位置する一対のフラップ部の対向する内面に、互いに嵌合／解除可能な凸部と凹部とからなるジッパーを設けたプラスチックフィルム製袋本体と、
請求項１に記載の閉止専用スライダと、
を備えたことを特徴とするプラスチックフィルム製袋。
【発明の詳細な説明】
【技術分野】
【０００１】
本発明は、閉止専用スライダ、特に、プラスチックフィルム製袋の開口部に設けたジッパーを閉止するために使用されるスライダ、及び、該スライダを備えたプラスチックフィルム製袋に関する。
【背景技術】
【０００２】
従来、プラスチックフィルム製袋として、図９に示す袋１が知られている。この袋１は、プラスチックフィルムを溶着して側部をカット、あるいは、溶断したものであり、開口部２に位置する一対のフラップ部３，３の対向する内面に、互いに嵌合／解除可能な凹部８ａと凸部８ｂとからなるジッパー８を設けたものである。なお、ジッパー８の凹凸部８ａ，８ｂの構造、形状には種々のものがある。
【０００３】
この種のプラスチックフィルム製袋１のジッパー８を開閉するには、（１）フラップ部３，３を指でつまんで開放し、閉止操作は専用のスライダで行う、（２）一方向にスライドさせることで閉止し、他方向にスライドさせることで開放する開閉用スライダを使用する（特許文献１参照）、開閉共に指で行う、の３通りの方法がある。
【０００４】
前記（１）の方法で使用される閉止専用スライダの一例を図１０に示す。この閉止専用スライダ１０は、前記フラップ部３，３の外側に位置する一対の側脚片１１，１１と、フラップ部３，３の内側に位置してジッパー８には届かない長さの中脚片１５とを備えている。このスライダ１０をいずれかの方向（図９の矢印Ａ，Ａ’方向参照）にスライドさせることにより、側脚片１１，１１の内側に対向して形成した突部１２，１２がジッパー８の凹凸部８ａ，８ｂを互いに押圧して嵌合させる。
【０００５】
中脚片１５はこのスライダ１０が開口部２の端部２ａに達したときにスライダ１０自体が側方に離脱してしまうのを防止するストッパとして機能する。側脚片１１，１１の下部に形成した突起１３，１３はスライダ１０の上方への抜け止めを図っている。また、側脚片１１，１１の対向する内面の中段部に形成した突起１４，１４はスライダ１０が必要以上に下方へ移動することを防止するためのものである。
【０００６】
ところで、この種のスライダ１０にあっては、ジッパー８の凹凸部８ａ，８ｂを強く挟み込んだ状態で長期間、同じ形状を維持しなければならない。即ち、側脚片１１，１１がジッパー８の反発力に負けて外方に広げられた状態で時間が経過すると、側脚片１１，１１が広げられた形状に変形してしまい、ジッパー８を挟む力（閉止力）が弱くなってしまう。また、袋１のフラップ部３，３から外れない力（懸止力）もなくなり、離脱しやすくなってしまう。
【０００７】
このような問題点は、ジッパー８の凹凸部８ａ，８ｂの背面に圧接する部分である突部１２，１２の幅が大きくジッパー８に対して面で接触することに起因すると考えられる。また、突部１２，１２が袋１に対して面接触することは、スライダ１０の滑りを阻害する原因にもなっている。
【特許文献１】特許第２８７１６７１号公報
【発明の開示】
【発明が解決しようとする課題】
【０００８】
そこで、本発明の目的は、プラスチックフィルム製袋の開口部に設けたジッパーに対する閉止力、懸止力が劣化することはなく、かつ、滑りの良好な閉止専用スライダ、及び、該スライダを備えたプラスチックフィルム製袋を提供することにある。
【課題を解決するための手段】
【０００９】
以上の目的を達成するため、本発明に係る閉止専用スライダは、少なくとも１辺が開口部とされ、該開口部に位置する一対のフラップ部の対向する内面に、互いに嵌合／解除可能な凸部と凹部とからなるジッパーを設けたプラスチックフィルム製袋の閉止専用スライダであって、前記スライダは、プラスチック材料から成形されており、少なくとも、前記フラップ部の外側に位置する一対の側脚片と、フラップ部の内側に位置して前記ジッパーには届かない長さの中脚片と、前記一対の側脚片の内側に対向するようにジッパーとは直交する方向に延在して形成された一対の突部とを備え、前記一対の突部は、それぞれ、ほぼ半円柱状をなし、半径が前記ジッパーの凹部の幅寸法よりも小さいことを特徴とする。
【００１０】
本発明に係る閉止専用スライダにおいて、側脚片の内側に形成された一対の突部がジッパーの凹凸部の背面側に圧接し、ジッパーの凹凸部を嵌合させる。この突部は半径がジッパーの凹部の幅寸法よりも小さいほぼ半円柱状をなし、突部の頂点部分が線状にごく微小な面積で凹凸部の背面側に圧接する。それゆえ、突部の頂点部分が背面側に食い込むことになり、側脚片がジッパーの反発力に負けて外方に変形することがなくなり、初期の閉止力、懸止力を長期にわたって維持することができる。また、突部はその頂点部分で袋に対して微小な面積で接触するため、スライダ自体の滑りが良好である。
【００１１】
本発明に係るプラスチックフィルム製袋は、前記閉止専用スライダを備えたことを特徴とするものであり、初期の閉止力、懸止力を長期にわたって維持できると共に、袋本体に対する滑りが良好な前記スライダの利点が十分に発揮される。
【発明を実施するための最良の形態】
【００１２】
以下、本発明に係る閉止専用スライダ及び該スライダを備えたプラスチックフィルム製袋の実施例について、添付図面を参照して説明する。
【００１３】
図１〜図４に本発明に係る閉止専用スライダの一実施例を示す。この閉止専用スライダ３０は、基本的には図１０に示した従来の閉止専用スライダ１０と同様の構成を有し、図９に示したプラスチックフィルム製袋１の開口部２に設けたジッパー８を閉止する機能を備え、さらに、以下に詳述するように、強い挟み込み力を維持できる機能を付加したものである。
【００１４】
詳しくは、閉止専用スライダ３０は、ポリスチレン、ポリプロピレンなどのプラスチック材料から一体的に成形されたもので、プラスチックフィルム製袋１の開口部２に位置するフラップ部３，３の外側に位置する一対の側脚片３１，３１と、フラップ部３，３の内側に位置してジッパー８には届かない長さの中脚片３５とを備えている。
【００１５】
ところで、フラップ部３，３は主に図５及び図６に示す態様がある。図５に示すプラスチックフィルム製袋１では、ジッパー８のベース部の上方への延在部分をフラップ部３，３としている。また、図６に示すプラスチックフィルム製袋１では、袋１を構成する表裏のプラスチックフィルムの上辺部分をフラップ部３，３としている。
【００１６】
このスライダ３０はいずれかの方向（図９の矢印Ａ，Ａ’方向参照）にスライドさせることにより、側脚片３１，３１の内側に対向して形成した突部３２，３２がジッパー８の凹凸部８ａ，８ｂを互いに押圧して嵌合させる。
【００１７】
中脚片３５はこのスライダ３０が開口部２の端部２ａに達したときにスライダ３０自体が側方に離脱してしまうのを防止するストッパとして機能すると共に、下端がジッパー８の凹凸部８ａ，８ｂに当接することでスライダ３０が下方に入り込んでしまうことを防止するストッパとして機能する。側脚片３１，３１の下部に形成した突起３３，３３はスライダ３０がフラップ部３，３から上方へ抜けることを防止するためのものである。
【００１８】
図７にスライダ３０の突部３２を拡大して示し、図８にプラスチックフィルム製袋１のジッパー８をスライダ３０によって閉止している状態を示す。
【００１９】
前記突部３２，３２は、側脚片３１，３１の内側に対向するようにジッパー８とは直交する方向に延在して形成され、ほぼ半円柱状をなし、半径ｒがジッパー８の凹部８ａの幅寸法Ｗよりも小さく設定されている。
【００２０】
この閉止専用スライダ３０において、側脚片３１，３１の内側に形成された一対の突部３２，３２がジッパー８の凹凸部８ａ，８ｂの背面側に圧接し、該凹凸部８ａ，８ｂを嵌合させる。この突部３２，３２は半径ｒがジッパーの凹部８ａの幅寸法Ｗよりも小さいほぼ半円柱状をなし、突部３２，３２の頂点部分が線状にごく微小な面積で凹凸部８ａ，８ｂの背面側に圧接する。それゆえ、突部３２，３２の頂点部分が背面側に食い込むことになり、側脚片３１，３１がジッパー８の反発力に負けて外方に変形することがなくなり、初期の閉止力、懸止力を長期にわたって維持する。また、突部３２，３２はその頂点部分で袋１に対して微小な面積で接触するため、スライダ３０自体の滑りが良好である。
【００２１】
（他の実施例）
なお、本発明に係る閉止専用スライダ及び該スライダを備えたプラスチックフィルム製袋は前記実施例に限定するものではなく、その要旨の範囲内で種々に変更できる。
【００２２】
例えば、ジッパー８はそれぞれ２条の凹部８ａ及び凸部８ｂを有するダブルチャックタイプであってもよい。この場合、スライダ３０の突部３２，３２の半径ｒは、それぞれの凹部８ａの幅寸法Ｗよりも小さい。また、スライダ３０は一体成形されたもの以外に、中脚片３５が側脚片３１，３１とは別体とされていて、袋１への装着時に一体的に組み立てる形態であってもよい。
【図面の簡単な説明】
【００２３】
【図１】本発明に係る閉止専用スライダの一実施例を示し、（Ａ）は正面図、（Ｂ）は平面図、（Ｃ）は底面図、（Ｄ）は側面図である。
【図２】図１（Ｄ）のＡ−Ａ断面図である。
【図３】図１（Ｄ）のＢ−Ｂ断面図である。
【図４】図１（Ｄ）のＣ−Ｃ断面図である。
【図５】本発明に係るプラスチックフィルム製袋の第１例を示す要部拡大断面図である。
【図６】本発明に係るプラスチックフィルム製袋の第２例を示す要部拡大断面図である。
【図７】図１に示したスライダの突部を示す拡大斜視図である。
【図８】図１に示したスライダがジッパーを閉止している状態を示す拡大説明図である。
【図９】従来のプラスチックフィルム製袋を示し、（Ａ）は斜視図、（Ｂ）は要部拡大断面図である。
【図１０】従来の閉止専用スライダを示し、（Ａ）は正面図、（Ｂ）は側面図、（Ｃ）はＤ−Ｄ断面図である。
【符号の説明】
【００２４】
１…プラスチックフィルム製袋
２…開口部
３…フラップ部
８…ジッパー
８ａ…凹部
８ｂ…凸部
３０…閉止専用スライダ
３１…側脚片
３２…突部
３５…中脚片
【図１】
2005204793.tif 000003
【図２】
2005204793.tif 000004
【図３】
2005204793.tif 000005
【図４】
2005204793.tif 000006
【図５】
2005204793.tif 000007
【図６】
2005204793.tif 000008
【図７】
2005204793.tif 000009
【図８】
2005204793.tif 000010
【図９】
2005204793.tif 000011
【図１０】
2005204793.tif 000012